Podtech/llm-jp-corpus-v4-ja_patent huggingface dataset:
(57)【要約】【課題】本製品は、従来製品の欠点である・蓋と容器のセット製品でなければ密封できない・１製品、１サイズでしか利用できない・ラップは内容物にくっつく、繰り返し利用や逆さにして利用することができない等を解決する密封カバーアジャスター（１）を提供する【解決手段】吸着性のあるシール素材により構成される本発明製品密封カバーアジャスター（１）により各種容器を吸着、密封する・変化型として、吸着部品である密封カバーアジャスターパーツ（１）のみを利用し、例えば、ボウルと皿、茶碗と皿を組み合わせて密着させて利用できる、独立型密封カバーアジャスターパーツ（１）・本発明製品密封カバーアジャスターパーツ（１）同士を接続して、さらに、容器をとりつける等、アジャスター部品的、拡張的利用が可能である【選択図】図１
2016077847.tif 000002
【特許請求の範囲】
【請求項１】
密着対象物を密着させるための溝、吸着面等を設けたシール材パーツ（密封カバーアジャスター）（１）（２）により各種容器などを吸着密封する部品形状、方法
【請求項２】
皿などに吸着させる吸盤状の底（底部吸着面）（３）と、皿などをはめこむための溝（内側溝）（４）、本製品を対象容器の内側にはめこんで密封する外側溝＆壁（５）を設けたシール素材などにより各種容器を吸着密封する部品形状、方法
【請求項３】
本発明製品密封カバーアジャスターパーツ（１）同士を接続して、さらに、容器をとりつける等、アジャスター部品的、拡張的利用する部品形状、方法
【発明の詳細な説明】
【技術分野】
【０００１】本発明は、
・従来の蓋と容器がセットになった密封容器でなくても、皿やバット、まな板、その他底面の形状や大きさを問わず、本製品に吸着、密着させるだけで、従来の密封シール容器同様に内容物を密封保存できる
・ラップなどと異なり、繰り返し使える
・従来製品のように、蓋と容器がセットでなくても、何にでも組み合わせて利用することができる
・変化型として、吸着部品である密封カバーアジャスターパーツ（１）のみを利用し、例えば、ボウルと皿、茶碗と皿を組み合わせて密着させて利用できる、独立型密封カバーアジャスターパーツ（１）
・本発明製品密封カバーアジャスターパーツ（１）同士を接続して、さらに、容器をとりつける等、アジャスター部品的、拡張的利用が可能である
など、密封容器、方法に関するものである。
【背景技術】
【０００２】従来の密封用の製品は、
・蓋と容器がセットになった１パーツ（蓋または容器）１サイズの組み合わせで利用するタイプのもの
又は
・ラップ等のシートを都度使い捨てて利用するタイプのもの
などであった。
【発明の概要】
【発明が解決しようとする課題】
【０００３】従来の密封容器やラップなどの製品には次の様な欠点があった。
・蓋と容器のセット製品でなければ利用できない
・１製品、１サイズでしか利用できない
・ラップは柔軟すぎて内容物にくっつく
・ラップは使い捨てで繰り返し使えない
・ラップは特に逆さにした時に密封性が不十分である
【課題を解決するための手段】
【０００３】・吸着性のあるシール素材等により構成される本発明製品密封カバーアジャスターパーツ（１）により各種容器を吸着、密封する
・吸着面は、皿などに上から押し付けて吸着させる吸盤状の底（底部吸着面）（３）と、皿などをはめこむための内側溝（４）、底部溝（６）、本製品を対象容器の内側にはめこんで密封する外側溝＆壁（５）を設けたシール素材等により密封する。これにより、セットで利用できる対象の容器の幅サイズに柔軟性を持たせることができる
・本発明製品の高さサイズは複数種類を設ける
・変化型として、吸着部品である密封カバーアジャスターパーツ（１）のみを利用し、例えば、ボウルと皿、茶碗と皿を組み合わせて密着させて利用できる、独立型密封カバーアジャスターパーツ（１）
・本発明製品密封カバーアジャスターパーツ（１）同士を接続して、さらに、容器をとりつける等、アジャスター部品的、拡張的利用が可能である
【発明の効果】
【０００４】・従来の蓋と容器がセットになった密封容器でなくても、皿やバット、まな板、その他底面の形状や大きさを問わず、本製品を置いて密着させる、あるいははめ込むだけで、従来の密封シール容器同様に内容物を密封保存できる
・ラップなどと異なり、内容物にくっつかず、繰り返し使える。
・上下逆向きにしても使える
・従来製品のように、蓋と容器がセットでなくても、何にでも組み合わせて利用することができる
・変化型として、本製品密封カバーアジャスターパーツ（１）のみを利用し、例えば、ボウルと皿、茶碗と皿を組み合わせて密着させて利用できる
・本発明製品密封カバーアジャスターパーツ（１）同士を接続して、さらに、容器をとりつける等、アジャスター部品的、拡張的利用が可能である
【図面の簡単な説明】
【０００５】
【図１】密封カバーアジャスターパーツ（１）の基本構造断面図
【図２】底部吸着面（３）の利用イメージ
【図３】内側溝（４）の利用イメージ
【図４】外側溝＆壁（５）の利用イメージ
【図５】底部溝（６）の利用イメージ
【図６】の拡張接続利用イメージ
【発明を実施するための形態】
【０００６】・密着対象物を密着させるための溝、吸着面等を設けたシール材などによる密封カバーアジャスターパーツ（１）
・密封カバーアジャスターパーツと（１）一体の蓋形状の容器
【符号の説明】
【０００６】１密封カバーアジャスターパーツ
２蓋形状の容器
３底部吸着面
４内側溝
５外側溝＆壁
６底部溝
７皿、バット、まな板など
８密着対象容器（淵のあるもの）など
【図１】
2016077847.tif 000003
【図２】
2016077847.tif 000004
【図３】
2016077847.tif 000005
【図４】
2016077847.tif 000006
【図５】
2016077847.tif 000007
【図６】
2016077847.tif 000008
(57)【要約】      （修正有）【課題】スリッパ・サンダル本来の性質を損なわず、かつ歩行性能を向上、併せ持つ製品を提供する。【解決手段】スリッパ・サンダル１に、ゴム紐２を先端カバーに４カ所ゴム紐を通す穴を空け、コードストッパー４を強度調整機能のストッパーにて取付け、かかと部分にはをゴムを固定するバンドを取付け、そのゴム輪円内に足を入れ、抜けない程度に調整し歩行可能な製品に改良した。【選択図】図１
2016077845.tif 000002
【特許請求の範囲】
【請求項１】
コードストッパーにより足の大きさに合わせ、ゴム引張力を調整可能とし、スリッパ又はサンダル等との密着度を自由に簡単に調整が可能であり、かかと部分のゴム位置バックカバーの取付方法は底板と表面材との間に取り込み一体的に加工、違和感ないものを完成する。
かかと部分の足首バックカバーの材質は、足の皮膚にやさしい皮製品等望ましいがビニル製品や布製でも強度のあるものを使用すれば問題はない、目的はスリッパとしての自由さを損なわない範囲で歩行性を向上し、かつ安全性を維持することが目的です。
更に短時間の利用にもループ機能器具を使用しない時でも、通常スリッパ・サンダル本来の使い方が可能な機能性も維持可能です。
【請求項２】
コードストッパーの種類は多種多様な製品が市場に存在致しますので、サイズ形状はスリッパ・サンダルの程度種類により選択をすることとなりますのでゴム紐の適性に合わせ選択されますが、ストッパーの既存製品に当面左右されるものと考えますが、この方面の開発にも期待致します。
かかと部分の足首バックバンドの長さはかかとの上に届く程度の長さとしてＨ＝６５ｍｍ〜７０ｍｍ程度は立ち上げが必要ですが形状、デザインは自由に可能、アピールポイントと考えます。
【発明の詳細な説明】
【技術分野】
【０００１】  この発明は、一般室内履きスリッパ・サンダルの改良型で、長時間歩行時や段差等の際従来型スリッパ・サンダルが足に疲労や脱落等の不安の懸念ありますが、この解消を簡易な補助方法により解消を計る事が発明に関するものである。
【背景技術】
【０００２】  従来型市販スリッパ・サンダルは簡単に着脱は可能な反面、抜けやすく、安全面及び健康面から不安を感じており、靴のように足にフィットし抜けにくく、比較的長時間の歩行が容易な改良が出来ないものかと考え、片手で操作できる、閉じる器具として、身近にある衣服等にストッパーとして使われている、コードストッパーに着眼、発明のカギと考え、試作、使用して試験の結果、良好と判断、出願に至りました。
【先行技術文献】
【特許文献】
【特許文献】  特に見当たらない
【０００３】
【発明の概要】
【発明が解決しようとする課題】
【０００４】（イ）足首とスリッパ・サンダルとの密着性を確保する方法。
（ロ）スリッパ・サンダルを長時間使用時に足の疲労と、段差等に脱落、転倒等しない安全性の確保。
本発明は、以上のような欠点をなくすためになされたものである。
【課題を解決するための手段】
【０００５】      本構造は従来型スリッパ・サンダルにひも状ゴムをスリッパ・サンダルのヘッドカバー部に通し、ゴム先端に、コードストッパーを付けゴムを固定、ゴム強度の調節を行い、ゴム紐をスリッパのくるぶし側に回しこみ、かかと背面にゴム紐受けカバーを設け、ゴム位置の調整を行う、カバーはスリッパ後部足甲下に固定致します、この方法によりシューズ機能に類似した形状を確保され、歩行が楽に補助され安全、かつ疲労解消に効果を果たします。
本発明は、以上の構成よりなるループスリッパ・サンダルである。
【発明の効果】
【０００６】        （イ）室内履きスリッパ・サンダルは家庭だけでなく、会社事務所や勤務作業場等での長時間労働、作業には安全性と、作業性、健康上の改善には格段の効果を発揮すると確信致します。
（ロ）室内履きだけに限らず外履きサンダルにも容易に同様に装着出来、足の密着性を増し履きやすく歩行性が格段に向上されるので、この方面での利用発展が可能。
添付写真を付与いたします。
【図面の簡単な説明】
【０００７】
【図１】  本発明の概略図である。
【写真の簡単な説明】
【０００８】［写真１］写真はループスリッパの前面と背面、上面から見た試作品サンプル写真です。
［写真２］写真はループサンダルの前面と背面、上面から見た試作サンプル写真です。
【発明を実施するための形態】
【０００９】  以下、本発明を実施するための形態について説明する。
ゴム紐を後方のスリッパ・サンダルに取り付けた、かかとカバーにゴム紐を通し足がスリッパ・サンダルに入りやすい程度の長さに調整し、ゴム紐をスリッパの足先カバーにゴム紐３．０ｍｍ〜５ｍｍの径を通す穴を４か所設け、ゴム紐を両端側の２カ所より内側に通し更に中央部の２カ所の穴より上に引き出し、コードストッパーにゴム紐を通し、先端を抜けないように結び、アクセントを兼ね、ループエンド等にて装備して完成です。
本発明は、以上のような構造である。
これを使用スリッパ・サンダルを履くときは、足を入れた後、ストッパーを操作しゴム位置を調整し密着度を確認し抜けない状態か確認し完了です。
【図１】
2016077845.tif 000003
【図２】
2016077845.tif 000004
【図３】
2016077845.tif 000005
【手続補正書】
【提出日】平成26年12月22日(2014.12.22)
【手続補正１】
【補正対象書類名】明細書
【補正対象項目名】０００７
【補正方法】変更
【補正の内容】
【０００７】
【図１】  本発明の概略平面図で上から見た図である。
【図２】  本発明の概略側面図で横から見た図である。
【図３】  本発明の概略背面図で後方から見た図である。
(57)【要約】【課題】  縫製用面ファスナーは材質がとても固く、針がなかなか通りにくい。その為、布地に縫着しにくい、又取り付けにくい。その結果、手を痛めたり、指に針を刺し血を流す事故がある。布地に縫着しやすくする為、面ファスナーに小さな穴をあけることを提供する。【解決手段】  縫製用面ファスナーを布地に縫着しやすくする為に、面ファスナーの凸凹の部分に針が通る大きさの穴を格子状に小さな穴を、針が貫通出来る様にあける。使う時には自由な大きさに切る事が出来る、それによって指や手を痛める事もなく縫着しやすく取り付けやすい。【選択図】図１
2016077827.tif 000002
【特許請求の範囲】
【請求項１】
縦長からなる長尺状の面ファスナーの表面に等間隔に設けた縦線と横線の仮想線が交差する点に穴を貫通させ、その貫通穴に縫い針を通しやすくした穴あき面ファスナー
【発明の詳細な説明】
【技術分野】
【０００１】  本発明は、面ファスナーを生地に縫合しやすいように縫製用に穴をあけた面ファスナーに関するものである。
【背景技術】
【０００２】  従来の面ファスナーは生地に接合する時、面ファスナーと生地を重ね合わせ、針と糸で縫着していた。
【発明の概要】
【発明が解決しようとする課題】
【０００３】  縫製用の面ファスナーは材質が非常に固く、針が通りにくく取り付けにくい上に縫いにくい。
その為、無理して針を生地に刺す。
その結果、手を痛めたり、指に針を刺してしまう事故がある。
本発明は、以上の問題点を解決するためになされたものである。
【課題を解決するための手段】
【０００４】  面ファスナーに針が通りやすく、縫着する為に小さな穴をあける。
穴は面ファスナーに等間隔に縦方向及び横方向に格子状に貫通してあける。
【発明の効果】
【０００５】  縫製用の面ファスナーに針が通る小さな穴を貫通してあける事によって、縫い針が通しやすくなり、縫着しやすい。
このために手を痛めたり、指に針を刺して血を流すこともない。
【図面の簡単な説明】
【０００６】
【図１】  本発明の正面図
【図２】  本発明の断面図
【図３】  本発明の使用状態の拡大断面図
【発明を実施するための形態】
【０００７】以下、本発明を実施するための形態を説明する。
イ．  縦長からなる、表面にフック部（５）を有する長尺状の面ファスナー（１）に、        表面より裏面に貫通する穴（２）を複数設ける。
ロ．  面ファスナー（１）の表面に面ファスナーの縦線（４）と横方向の横線（３）を        ７ミリ〜１０ミリの等間隔からなる平行の仮想線を格子状に設け、仮想線が交差        する点に穴（２）を貫通させて設け、穴（２）の直径は縫い針（６）を通す大き        さとする。
本発明は、以上の構成からなる。
本発明を使用するとき、穴（１）が格子状にあいている面ファスナーを好きな大きさに切って布地に重ね、穴（１）より縫い針を刺し通す。
そして縫着させる穴（１）があいてるので手を痛めたり、指を針で刺すような事故もなく縫いやすい。
【符号の説明】
【０００８】  １  面ファスナー、２  穴、３  横線、４  縦線、５  フック部、６  針
【図１】
2016077827.tif 000003
【図２】
2016077827.tif 000004
【図３】
2016077827.tif 000005
(57)【要約】      （修正有）【課題】従来の茶碗水切りは、茶碗、どんぶり、小皿等でいろいろと混在し一番多く使う茶碗の取り出しが困難であり、茶碗専用の水切りを提供する。【解決手段】塩ビ管と塩ビ板を加工し作製したものであり、背部に傾斜を付け茶碗が倒れないようにし、下部に水がたまるように受け皿を設けた。使用方法は積み木を積み上げる要領で茶碗を重ね、茶碗を取り出す場合は、左側手前の四角い穴に左手の指を入れ、右手で茶碗の上部を持ち取り出す。【選択図】図２
2016077824.tif 000002
【特許請求の範囲】
【請求項１】
現在使用中の水切りと茶碗専用の水切りを併用して使用すると食事の準備について茶碗の取り出しが容易で時間短縮につながる。
【発明の詳細な説明】
【技術分野】
【０００１】
【背景技術】
【０００２】
【先行技術文献】
【特許文献】
【・・・・】
【特許文献１】
【特許文献２】
【非特許文献】
【・・・・】
【非特許文献１】
【発明の概要】
現在台所で使用中の水切りは、茶碗や皿が混在し、うまく整理が出来ないので茶碗専用の水切りを考えました。
【発明が解決しようとする課題】  現在使用中の水切りと併用して使いますが、茶碗の取り出しが楽で時間短縮につながります。
【・・・・】
【課題を解決するための手段】
【・・・・】
【発明の効果】
食事準備における茶碗の取り出しについて一目でわかり時間短縮につながる。
【・・・・】
【・・・・】
【図面の簡単な説明】
【図１】図１は斜めから見た立面図です。
【図２】図２は上記立面図に茶碗を重ねた図です。
【発明を実施するための形態】
この茶碗水切り器は、塩ビ管と塩ビ板を加工したものです。茶碗がたおれないように背当て部分が傾斜しており、下部に水がたまる受け皿があります。
【・・・・】
【実施例】  実施要領については、図２並びに写真のとおり茶碗を積み木の要領で積みあげて使用します。
【・・・・】
【・・・・】
【産業上の利用可能性】
【・・・・】
【符号の説明】
【・・・・】
１
２
３
【図１】
2016077824.tif 000003
【図２】
2016077824.tif 000004
(57)【要約】【課題】  鞄、バッグ、レジ袋などの様な袋物を運ぶ場合、持ち易くする為また手に与える衝撃を緩和させるため、手の周りを密着する形で覆うホルダー部に荷物の手提げ部を保持する保持部を一体にて形成した運搬用補助具を提供する。【解決手段】  手の周りを密着する形に形成されたるホルダー部（１）に荷物の手提げ部を保持する保持部（２）を一体にて形成したことを特徴とする。【選択図】図１
2016077826.tif 000002
【特許請求の範囲】
【請求項１】
使用者の手の周りを密着する形で覆うホルダー部（１）の手のひら側に取っ手や手提げ部を保持する保持部（２Ａ）を一体にて形成したことを特徴とする運搬用補助具。
【請求項２】
手の甲側にも保持部（２Ｂ）を一体にて形成したことを特徴とする請求項１記載の運搬用補助具。
【発明の詳細な説明】
【技術分野】
【０００１】  この発明は、手で荷物を持つときに使用する運搬用補助具に関するものである。
【背景技術】
【０００２】  従来、鞄、バッグ、レジ袋の様な袋物などを持つ場合は、取っ手や手提げ部を直接手や指又は手首などで掴んだりぶら下げたりしていた。
【先行技術文献】
【特許文献】
【０００３】
【特許文献１】実用新案登録第３０１０８５０号
【特許文献２】特許第３５４６０３０号
【発明の概要】
【発明が解決しようとする課題】
【０００４】  これは次のような欠点があった。
従来、鞄、バッグ、レジ袋のような袋物等を持つときは、取っ手や手提げ部を直接手や指又は手首などで掴んだりぶら下げたりしていたため、把持部には荷重の負担がそのまま加わっていた。また特許文献１、特許文献２の考案のように、腕に円筒状のホルダーを係止させ袋物を保持させる等の補助具はあったが、手のひら並びに手の甲に密着させたホルダー部によって荷重の分散を図り荷物の運搬を容易にしようとしたものは無かった。更に運搬中においても手指を屈伸させることによって運搬中の疲労を軽減させるという効果を発揮できるものはなかった。
本発明は以上の様な欠点をなくすためになされたものである。
【課題を解決する為の手段】
【０００５】  使用者の手の周りに密着する形に形成されたるホルダー部（１）の手の平側に、取っ手や手提げ部を保持する保持部（２Ａ）を一体にて形成する。
本発明は、以上の様な構成よりなる運搬用補助具である。
【発明の効果】
【０００６】  従来のように取っ手や手提げ部等を直接把持するのではなく、荷物の荷重を保持部（２Ａ）  並びに手の平と手の甲に密着したホルダー部（１）全体で支えるのであるから、まず何よりも荷物を持った時の安定感がよく、そのために荷物が持ち易くなるという効果があると同時に、更には従来のように手提げ部を直接手指で把持する場合に比べ、荷物を保持し支える部分が広くなるので、荷重が分散されその結果疲労が軽減されるという効果もある。また、長時間の使用で疲労を感じたときは、図３に示すようにホルダー部の密着性により歩行中でも指を十分伸ばして拡げても荷物は落下しないので、指を屈伸させることにより疲労を回復させることも可能であるという効果も生じる。
【図面の簡単な説明】
【０００７】
【図１】  本発明の実施例である。
【図２】  本発明の斜視図である。
【図３】  疲労時における本発明の実施例である。
【図４】  保持部（２Ｂ）を加えた状態の斜視図である。
【発明を実施するための形態】
【０００８】  以下、本発明を実施するための形態について説明する。
手の平並びに手の甲に出来るだけ密着させた状態の偏平状の環状形のホルダー部（１）の手の平側に荷物の取っ手や手提げ部を保持する保持部（２Ａ）を一体にて形成する。尚保持部（２Ａ）の幅は狭すぎても広すぎても安定性に欠けるので、大体指の幅二本から四本位であり、また位置はセンターが望ましい。
本発明は、以上の様な構造である。
本発明を使用するときには、手をホルダー部（１）に入れて保持部（２Ａ）に取っ手や手提げ部を掛けて鞄、バッグやレジ袋などの袋物の運搬を行う。
他の実施例を説明する。
図４に示すように保持部（２Ｂ）を手の甲側にも設けることによって、手提げ部は保持部（２Ａ）と保持部（２Ｂ）に分けて掛けられるようになる。このことによって更に荷重の負担の拡散を図る事も出来る。
【符号の説明】
【０００９】１    ホルダー部
２Ａ  手の平側の保持部
２Ｂ  手の甲側の保持部
【図１】
2016077826.tif 000003
【図２】
2016077826.tif 000004
【図３】
2016077826.tif 000005
【図４】
2016077826.tif 000006
(57)【要約】      （修正有）【課題】突然の降雨等によりハンガーで干している洗濯物を急いで容易に取り込むことのできるハンガーを提供する。【解決手段】ハンガーケース３とハンガーアーム５を回転自在に連結し、ハンガーケース３内を上下に可動するフック部１を挿通し、フック１の下方とハンガーアーム５とを回転自在にフックハンガーアームジョイント４で繋ぐ開閉自在のハンガーにおいて、フック部１とフックハンガーアームジョイント４が垂直になった時にハンガーアーム５が最大に広がり、ハンガーアーム５が自重や衣類の荷重により閉じる構造にし、フック部１にバネ製のある構造のハンガー固定レバー２を設け、フック部１ａとハンガーケース３を指で撮むことで片手かつワンタッチでハンガーアーム５を広げ、ハンガーアーム５を広がった状態に固定し、ハンガー固定レバー２を指で内側に寄せるとハンガーアーム５が閉じる構造とした開閉式ハンガー。【選択図】図１
2016077823.tif 000002
【特許請求の範囲】
【請求項１】
ハンガーケース３とハンガーアーム５を回転自在に連結し、ハンガーケース３内を上下に可動するフック部１を挿通し、フック１の下方とハンガーアーム５とを回転自在にフックハンガーアームジョイント４で繋ぐ開閉自在のハンガーにおいて、フック部１とフック部１の下方に取り付けた可動するフックハンガーアームジョイント４が垂直になった時にハンガーアームが最大に広がり、フック部１にバネ性のある構造のハンガー固定レバー２を設け、フック部１ａとハンガーケース３を指でつまむことで片手かつワンタッチでハンガーアームを広げ、ハンガー固定レバー２の固定突起部２ａが３ａと嵌合することでハンガーアームを広がった状態に固定し、ハンガー固定レバーを指で内側に寄せることでハンガー固定レバー２の固定突起部２ａと３ａの嵌合が解除されてハンガーアームがアームの自重や衣類の荷重により閉じる構造を特徴とする開閉式ハンガー。
【発明の詳細な説明】
【技術分野】
【０００１】  本発明は、洗濯ハンガーに関するものである。
【背景技術】
【０００２】特開２００２−３０６３０９、特開２０１３−７８５５５、特開２００３−２９９５６８がある。
【発明が解決しようとする課題】
【０００３】突然の降雨等によりハンガーで干している洗濯物を急いで取り込む必要の時がある。この場合、洗濯物を短時間に容易に取り込むことが迫られるという課題がある。
【０００４】本発明は、上記従来の洗濯物ハンガーにおける上述の問題を解決しようとしてなされたものである。
【課題を解決するための手段】
【０００５】ハンガーケース３とハンガーアーム５を回転自在に連結し、ハンガーケース３内を上下に可動するフック部１を挿通し、フック１の下方とハンガーアーム５とを回転自在にフックハンガーアームジョイント４で繋ぐ開閉自在のハンガーにおいて、フック部１とフック部１の下方に取り付けた可動するフックハンガーアームジョイント４が垂直になった時にハンガーアームが最大に広がり、フック部１にバネ性のある構造のハンガー固定レバー２を設け、フック部１ａとハンガーケース３を指でつまむことで片手かつワンタッチでハンガーアームを広げ、ハンガー固定レバー２の固定突起部２ａが３ａと嵌合することでハンガーアームを広がった状態に固定し、ハンガー固定レバーを指で内側に寄せることでハンガー固定レバー２の固定突起部２ａと３ａの嵌合が解除されてハンガーアームがアームの自重や衣類の荷重により閉じる構造を特徴とすることで、上記課題を解決する。
【作用】
【０００６】本発明では、ワンタッチでハンガーアームを広げて固定できるとともに、ハンガー固定レバーを指で内側に寄せることで洗濯物をハンガーから脱着することができる。
【発明を実施するための形態】
【実施例】
【０００７】本発明の一実施形態例を図面に従って説明する。洗濯物は水を含んでいるために通常の衣類と比べて３から４倍の重さが通常である。すると洗濯物に図２の状態でハンガーを挿入しても非力な高齢者や女性ではハンガーを広げることは難しい場合が多い。そこで、洗濯物をハンガーに掛ける場合は、図１の状態に固定して使用することが望ましいため、図１の状態で固定する必要が生まれる。また、洗濯物を干すのは朝の忙しい時間帯が多く簡易に素早く固定することが望まれる。当発明はフック１の１ａとハンガーケース３を指でつかむことで、ワンタッチでハンガーを広げ固定することができる。フック１の１ａおよびハンガーケース３にはつかみ易い突起部を設けるとさらに便利になる。
また、急な降雨等の場合には速やかな取り込みが望まれる。本発明では固定レバー２をつまんで内側に寄せるだけで広がったハンガーの固定が解除されるので、ハンガーアーム５はハンガーの自重と洗濯物の荷重だけで閉じる構造のため図２の状態になり、洗濯物がハンガーから抜け落ちるので簡易に短時間で洗濯物を取り込むことができる構造になっている。
【発明の効果】
【０００８】ハンガーを広げるのがワンタッチのため短時間でハンガーを広げ固定ができるとともに、固定レバー２をつまむだけで洗濯物をハンガーから脱着できるため、忙しい時間を短縮することができる。
【図面の簡単な説明】
【０００９】
【図１】本発明による洗濯ハンガーの一例を示す構造断面図
【図２】本発明による洗濯ハンガーの一例を示す折り畳み構造図
【図３】本発明による洗濯ハンガーの一例を示す構造断面図の拡大図
【符号の説明】
【００１０】１    ハンガーフック                １ａ  フックつまみ部
１ｂ  フックジョイント部            ２    ハンガー固定レバー
２ａ  ２の固定突起部                ３    ハンガーケース
３ａ  ３の２ａの固定部              ４    フックハンガーアームジョイント
５    ハンガーアーム                ５ａ  ４と５のジョイント部
【図１】
2016077823.tif 000003
【図２】
2016077823.tif 000004
【図３】
2016077823.tif 000005
(57)【要約】【課題】混泳できない魚類の、同一ろ過装置を持つ水槽内で各魚体の位置を固定すること無く、維持管理を容易にし、かつ、魚類の活動を活発化させる。特にベタ・スプレンデンスでは、個別水槽を用意するか、同一水槽内での固定された分別方法によってのみ、混泳を避けることができるが、固定個体との長期接触による活動低下が見られる。【解決手段】水上に浮揚する、内部水流と不溶物を落下させる空洞を持った透明容器にて、ろ過器の水流による循環に添って移動することによって、課題を解決する。【選択図】図１
2016077181.tif 000002
【特許請求の範囲】
【請求項１】
水上に浮揚する機能を持ち、魚類を確保でき、外部から鑑賞できる容器状の透明な素材で構成され、水流での水槽内移動と内部水質確保及び水底の空洞にて、不要物を落下させる機能を持つことを特徴とする魚類確保容器。
【発明の詳細な説明】
【技術分野】
【０００１】
本発明は、同一水槽で飼育（以下、混泳）できない複数の観賞魚を、観賞可能にする装置に関するものである。
【背景技術】
【０００２】
ベタ・スプレンデンス（以下ベタ）に代表される、気性が荒く、縄張り意識の高い観賞魚は、その攻撃性の高さから、非常に鑑賞性の高い外観にも関わらず、特にオス同士の、同一水槽での飼育は、不可能とされてきた。また一般的に、異種の観賞魚であっても、粗食・非捕食関係にある魚体は、当然ながら、観賞には別水槽が必要であった。
【０００３】
性質の異なる、または、双方の攻撃のため、外観が損なわれ、観賞に耐えなくなることを防ぐため、異なる水槽にて飼育することは、水質・水温等の適正値保持、苔・藻、残餌・魚糞等、水槽自体の美観保持に対し、水槽の数だけ手間が必要であった。特にベタに関しては、種類が多いため、多種・多数を飼育することが多いが、観賞魚ごとに水槽を用意するか、分割して、個体同士が接触しないようにする、もしくは、水槽内に吸盤等で個別小型水槽を設置するのが、これまでの方法であった。
【０００４】
しかしながら、上記、旧来の方法では、ベタの性質の一つである、同じ個体を長期間見せることにより、その個体に対しての戦闘意識が低下する、ということから、観賞魚として必要な活発性が失われ、遊泳やヒレの活動が少なくなり、結果的にヒレの癒着や、ヒレが広がらないことによる、鑑賞性の低下という問題があった。この問題に対しても、個体ごとに、定期的に位置を変える、または、鏡を用いて、自分自身を見せ、再度 異個体が近づいたものとし、鑑賞性を損なわないように、活発に活動させる必要があった。
【発明の概要】
【発明が解決しようとする課題】
【０００５】
解決しようとする問題点は、混泳できない観賞魚を、少ない手間で、長期間活発に観賞出来ない点である。
【課題を解決するための手段】
【０００６】
本発明は、浮遊し、かつ透明で水流の流入・流出が可能な形状をもつ容器を用いることを最も主要な特徴とする。
【発明の効果】
【０００７】
同一水槽での飼育と容易な管理を可能にしつつ、位置の移動により、固定個体同士の長期間の近接を避け、常に活発な活動が観賞できる。また、本発明の容器は、捕食・非捕食の関係もしくは気質や魚体の大きさに著しく差があるような、本来、同一水槽での混泳が不可能な組み合わせの魚種間にも対応が可能である。
【図面の簡単な説明】
【０００８】
【図１】図１は本発明の容器の例を示したものである
【図２】図２は本発明の容器の実施例を示したものである
【発明を実施するための形態】
【０００９】
これまでに挙げてきた問題点を解決すべく、図１のような形状を考案した。図１は、本発明装置であって、１は、水上浮揚のための空気確保部分となる。２は、水槽内でのろ過器等を用いた水質確保のため、水流を確保するための流入・流出口である。３は、２と同様の働きもするが、主に残餌・魚糞を、水槽内に落下させるための空洞である。容器は内部の観賞魚を観賞するため、透明の材質を用いる。
【実施例１】
【００１０】
図２に使用例を示す。一般的に観賞魚用水槽は、ろ過器により水質を安定させている。ろ過器からの流出口からは、濾過された水が排出されているが、同時に水槽内の水流循環の役目も果たす（図中 ５）。本発明の容器は、この水流により、一定位置を保たない（図中 ４）。このことにより、隣接する容器内の魚には非固定の個体が位地することになり、活発な活動を行うことが出来る。 また、容器底面に空洞があるため、残餌・魚糞等は、水槽底部に、全容器数分のゴミが落ちるため、ポンプ等で、水槽底面のみを清掃すれば美観を保つことが出来る。また、一般的水槽レイアウトのように、底面に土や水草を設置すれば、この清掃も不要になる。
【００１１】
応用例１：ベタの場合、水槽内・容器外にも１匹飼育が可能である。この１匹をメス、容器内をオスとした場合、繁殖時に問題になる、オスメスの相性がある程度判別できる。
【００１２】
応用例２：ベタの場合、オスが繁殖行動を起こす際、泡巣と言われる、泡状の巣を水面に作る。これは、水流があった場合、崩れてしまう（容器内では崩れない）。一方、相性の合わないメスとの接触は、多くの場合、メスの弱体化や攻撃による死亡に繋がる。応用例１で示す方法にて、相性が良いペアがあっても、同容器に混泳させると卵が水底まで沈むため、容器底面を切断し、水流によって崩れない泡巣を容器内に確保しつつ、水底に沈む卵にて繁殖させることが可能である。
【産業上の利用可能性】
【００１３】
繁殖期と繁殖組みを見定める必要がある、養殖業に応用出来る可能性がある。
【符号の説明】
【００１４】
１    容器浮揚部
２    容器流水部
３    容器排泄物落下部
４    容器可動の動き例
５    ろ過器からの排出水流
６    残餌・魚糞等
【図１】
2016077181.tif 000003
【図２】
2016077181.tif 000004
(57)【要約】【課題】  保安用コーンとコーンバーを整然と配置する。【解決手段】  保安用コーンとコーンバー端部リング部材の嵌合部近傍にそれぞれ目盛を備え、目盛を合わせて所定の角度でコーンバーを配置することが可能となる。【選択図】図１
2016118080.tif 000002
【特許請求の範囲】
【請求項１】
保安用コーンおよび該保安用コーン間に架け渡すコーンバーから成る区画表示システムであって、
前記保安用コーンと前記保安用コーン端部のリング状部材との嵌合部の近傍に両者の位置関係を表す目盛を備えた、区画表示システム。
【請求項２】
前記目盛は、前記保安用コーンの側周表面、または前記リング状部材の周上に表示されていることを特徴とする区画表示システム。
【発明の詳細な説明】
【技術分野】
【０００１】
本願発明は保安用コーン及びコーンバーに関する。
【背景技術】
【０００２】
工事現場や工場において、カラーコーン（登録商標）と称される保安用コーンを所定の間隔で並べ、それらをコーンバーでつなぎ区画を表示することで危険エリアを明示することができる。
【０００３】
コーンバーは棒状部材の両端部にリングが取り付けられ、リングは保安用コーンの頂部に嵌合し配置するため、保安用コーン同士を直線で結ぶ形状であれば、任意の形状で区画を表示することができる。
【０００４】
保安用コーン及びコーンバーを真直ぐに並べる場合、別に水糸を張ったり、測量などして直線形状を明示し、それに沿って保安用コーン及びコーンバーを並べる必要があった。更に、保安用コーン及びコーンバーの角度を変更する際は、水糸の盛替や再度測量を行う必要があり非常に煩雑であった。
【０００５】
特許文献１によると、保安用コーンを直線に並べるとき、基台バー１とジョイント機構２を用いて予め決められた方向（直線方向もしくは直角方向）に並べることができる。
【先行技術文献】
【特許文献】
【０００６】
【特許文献１】特開平１１−１２４８２１号公報
【発明の概要】
【発明が解決しようとする課題】
【０００７】
コーン及びコーンバーを整然と並べたい場合、水糸を張ったり測量を行う等して墨出しを行い、明示した線に沿って並べる必要があった。  墨出しには別途機材が必要な上に、労力がかかるために、コーン及びコーンバーを整然と並べるためには時間がかかる。
また、コーン及びコーンバーは工事の状況に応じて移動させることがあり、その度に墨出しを行うことは非常に手間が掛かり、現実的ではない。
【０００８】
本発明は、上記のような課題を解決するためになされたもので、容易に整然と並べることができるカラーコーン及びコーンバーを提供する。
【課題を解決するための手段】
【０００９】
本発明は、前記課題を解決するために、保安用コーンとコーンバーの嵌合部近傍にそれぞれ目盛をそなえ、その目盛を合わせることによってコーンバーの角度を所定の角度に合わせる。これを隣接した保安用コーンおよびコーンバーで繰り返せば、保安用コーンおよびコーンバーを整然と並べることが可能となる。
【００１０】
また、  保安用コーンと保安用コーン端部のリング状部材との嵌合部に、突起物を等間隔に配置した位置合わせ部材およびそれに応じた孔を配置すれば、コーンバーを所定の角度とすることが容易となる。
【００１１】
さらに、コーン端部のリング状部材との嵌合部に、等間隔の窪みを備えた保安用コーン位置合わせ部材を設ければ、コーンバーは窪みに嵌合され、コーンバーの角度が所定の角度とすることが容易となる。
【発明の効果】
【００１２】
本発明によれば、保安用コーンおよびコーンバーを整然と並べることが容易となる。
【図面の簡単な説明】
【００１３】
【図１】本発明の実施形態に関わる、ａ）斜視図、ｂ）平面図である。
【図２】本発明の実施形態に関わる、目盛部の拡大図である。
【図３】本発明の実施形態に関わる、ａ）斜視図、ｂ）平面図である。
【発明を実施するための形態】
【００１４】
本発明の一実施形態を図１から図３の図を用いて説明する。
【００１５】
図１に示すように、保安用コーン１とコーンバー２の嵌合部近傍には等間隔に目盛を配置した頂部目盛３を備える。図１（ｂ）で示す通り頂部目盛３は９０度間隔に三角形目盛を配置し、さらにその中間に棒状の印を配置しており４５度間隔の目盛が記されていることを示しているが、これよりも細かく目盛を記してもよいし、少ない間隔で目盛を記してもよく、目盛の間隔や表記は限定されない。
【００１６】
コーンバー２のリング部材６にはコーンバー目盛５を記している。コーンバー目盛5の位置は軸線上でもよいし、軸線に直角する方向でもよい。保安用コーン１の目盛３に４５度毎に目盛が記されているため、コーンバー目盛５の目盛は１つ以上あればよいが、１つに限定されない。
【００１７】
保安用コーン１には頂部目盛３と側部目盛４を備えている。保安用コーン１の直上から目盛をあわせる際は、頂部目盛３を使用すれば目盛を合わせやすく、保安用コーン１の側方から、目盛をあわせる際は、側部目盛４を使用すれば目盛を合わせやすい。
保安用コーン１とリング部６の嵌合部上部に側部目盛４を配置しているが、嵌合部下部に配置しても良い。
【００１８】
１本目のコーンバー２のコーンバー目盛５を頂部目盛３の０に合わせて設置、２本目のコーンバー２のコーンバー目盛５を１８０に合わせて設置すれば、２本の隣り合うコーンバーは直線上に配置することができる。また、直線上に配置したコーンバーの端部にさらに保安用コーン２を配置すれば隣接する保安用コーン１も直線上に配置することができる。
【００１９】
図３に示すように、１本目のコーンバー２のコーンバー目盛５を保安用コーン１の頂部目盛３の０に合わせて設置、２本目のコーンバー２のコーンバー目盛４を頂部目盛３の９０または２７０に合わせて設置すれば、２本の隣り合うコーンバーは直角に配置することができる。
【００２０】
頂部目盛３や側部目盛４の目盛間隔をさらに細かく記載すれば、任意の角度でコーンバー２の向きを決められる。
【００２１】
上記の方法を適宜繰り返し行うことで、所定の角度で保安用コーン１およびコーンバー２を配置することが容易にでき、整然とした区画を作成することが可能となる。
【符号の説明】
【００２２】
１  保安用コーン
２  コーンバー
３  頂部目盛
４  側部目盛
５  コーンバー目盛
６  リング部材
【図１】
2016118080.tif 000003
【図２】
2016118080.tif 000004
【図３】
2016118080.tif 000005
(57)【要約】      （修正有）【課題】グラブ浚渫を行う際に、グラブバケット囲繞枠の遮蔽膜を損傷させることなく浚渫を行う方法を提供する。【解決手段】グラブバケット囲繞枠の遮蔽膜の内側に、枠組足場の建枠および／またはくさび型足場によって骨組み枠を設け、グラブバケットにより水底から土砂をつかんで引き上げる時に、グラブバケット囲繞枠の内側に陰圧が生起しないようにすることで、グラブバケット囲繞枠の遮蔽膜が内側に引き込まれることがなくなり、遮蔽幕が破れて損傷することを無くしすようにしたことを特徴とする浚渫工法。【選択図】図９
2016118076.tif 000002
【特許請求の範囲】
【請求項１】
グラブバケット囲繞板の遮蔽膜の内側に、枠組足場の建枠および／またはくさび形足場によって骨組み枠を設け、該グラブバケット囲繞枠内でグラブバケットによる浚渫作業を行うことを特徴とする浚渫工法。
【発明の詳細な説明】
【技術分野】
【０００１】
本発明は、グラブ浚渫船による浚渫工法に関する。
【背景技術】
【０００２】
従来、河川、港湾等の水底の土砂を掘りさらうために浚渫船が用いられていた。浚渫船には、ポンプ船、ディッパ船、グラブ船、バケット船等があり、それぞれ水深、土質、土砂の捨場や掘り取った土砂の利用の仕方によって機種が選定されていた。しかしながら、最も多く使用されているのがグラブバケット式の浚渫船である。
【０００３】
グラブバケット式の浚渫船で浚渫する場合、一般的には浚渫時に汚濁水が発生するために、図１に示すように浚渫する区域の近傍にフロート（図示せず）により支持されたシート膜１等で囲繞した汚濁水拡散防止枠２を設けて、浚渫時の汚濁水の拡散を防止すると共に、更に該汚濁水拡散防止枠２の内側に、フロート３に吊下されたシート膜等の遮蔽膜４で囲繞したグラブバケット囲繞枠５を設け、該グラブバケット囲繞枠５内でグラブバケット６による土砂の掘削を行い、土運船７により埋立地等に運搬していた。
【発明の概要】
【発明が解決しようとする課題】
【０００４】
しかしながら、グラブバケット６により水底から土砂をつかんで、引き上げる時にグラブバケット囲繞枠５の内側に陰圧が生起し、その結果グラブバケット囲繞枠５の遮蔽膜４が内側に引き込まれる状態になり、上昇中のグラブバケット６と接触し、破れてしまう欠点があった。
そこで本発明者は、これら従来の欠点を解消するべく、種々研究を重ねた結果本発明を完成するに至った。
【課題を解決するための手段】
【０００５】
すなわち、本発明は、グラブバケット囲繞枠５の遮蔽膜４の内側に、枠組足場の建枠および／またはくさび形足場によって骨組み枠８を設け、該グラブバケット囲繞枠５内でグラブバケット６による浚渫作業を行う事を特徴とする浚渫工法である。
【発明の効果】
【０００６】
本発明は、枠組足場の建枠、くさび形足場のような既存の部材を用いるので、浚渫工場現場の近隣で容易に調達ができ、かつ施工が容易なために、設備費を安価にすることができる。また作業中にグラブバケット６と遮蔽膜４との接触がないので遮蔽膜４が破損することがないので、補修のための浚渫工事の中断も皆無になる。
【図面の簡単な説明】
【０００７】
【図１】従来のグラブ浚渫の場合の状態図
【図２】グラブバケット囲繞枠の斜視図
【図３】骨組み枠の斜視図
【図４】骨組み枠を設けたグラブバケット囲繞枠の斜視図
【図５】鳥居型建枠の正面図
【図６】梯子型建枠の正面図
【図７】簡易型建枠の正面図
【図８】鳥居型建枠で構成した骨組み枠の斜視図
【図９】本発明方法の浚渫工法を示した状態図
【発明を実施するための形態】
【０００８】
次に本発明を図面を参照しながら説明する。
図２は従来グラブ浚渫船に用いられるグラブバケット囲繞枠５の斜視図である。遮蔽膜４の上部にフロート３が設けられ、遮蔽膜４はフロート３に吊下された状態にあり、囲繞した状態に設置されている。このクラブバケット囲繞枠５の遮蔽膜４の下端部から水底に接する重錘が設けられている。従ってこのグラブバケット囲繞枠５は異なる浚渫箇所に容易に移動できるようになっている。
【０００９】
本発明は、該グラブバケット囲繞枠５の内側に骨組み枠８を設ける。骨組み枠８に使用する部材としては図３に示すようなくさび形足場を用いて格子状に組立て、その上端部を例えばグラブバケット囲繞枠５のフロート３に一体に取付け、図４に示すように設置する。
またこの骨組み枠８は独立してフロートを設けることもできる。その場合該フロートとフロート３とを連結して一体とすることが好ましい。
本発明の骨組み枠８に用いられる他の部材としては、枠組足場の建枠９が用いられる。建枠９としては鳥居型建枠１０（図５）、梯子型建枠１１（図６）、簡易型建枠１２（図７）等が用いられる。
図８は鳥居型建枠１０を用いて連結具で連結して骨組み枠８を構成した時の斜視図である。またこの場合強度を保持するために筋交１３を設けることが好ましい。
【００１０】
図９は本発明方法を示した状態図である。汚濁水拡散防止枠２の内側にグラブ浚渫船１４を係留し、グラブバケット６が落下する箇所を囲むように、内側に骨組み枠８を設けたグラブ囲繞枠５を設ける。グラブ浚渫船１４のブーム先端よりグラブバケット６を骨組み枠８区域内に落下させ水底の土砂をつかみ、ウインチによりグラブバケット６を巻き上げ土運船７に投入する。この際グラブバケット６の巻き上げによるグラブバケット囲繞枠５内に陰圧が生ずるが骨組み枠８が設けられていることから、グラブバケット囲繞枠５の遮断膜４が内側に膨らむことがないので遮蔽膜４を損傷させることがない。
【符号の説明】
【００１１】
５・・・グラブバケット囲繞枠
８・・・骨組み枠
【図１】
2016118076.tif 000003
【図２】
2016118076.tif 000004
【図３】
2016118076.tif 000005
【図４】
2016118076.tif 000006
【図５】
2016118076.tif 000007
【図６】
2016118076.tif 000008
【図７】
2016118076.tif 000009
【図８】
2016118076.tif 000010
【図９】
2016118076.tif 000011
(57)【要約】      （修正有）【課題】消耗品や電源を必要とせず、入れ歯などを水中に浸漬して清潔に保存するための抗菌消臭容器を提供する。【解決手段】容器本体１と、蓋体２を備え、容器本体１が、純度９７ｗｔ％以上の錫からなり、水を貯める貯水部１１と、貯水部１１と連通して上向きに開口する開口部１２を有しており、蓋体２が、開口部を開閉自在に覆う。蓋体２の周縁部には下方に向けて突出する起立片２１が形成され、蓋体２は、容器本体１に対して着脱自在に起立片２１を壁面１４の上端部に係合させることで、開口部１２を塞ぐことができる。【選択図】図１
2016007261.tif 000002
【特許請求の範囲】
【請求項１】
容器本体と、蓋体を備え、
容器本体が、純度９７ｗｔ％以上の錫からなり、水を貯める貯水部と、貯水部と連通して上向きに開口する開口部を有しており、
蓋体が、開口部を開閉自在に覆うことを特徴とする抗菌消臭容器。
【発明の詳細な説明】
【技術分野】
【０００１】
本発明は、入れ歯などを水中に浸漬して保存するための抗菌消臭容器に関する。
【背景技術】
【０００２】
入れ歯は、食べかすなどを付着したままにすると、雑菌などが繁殖して臭いや病気の原因となるので、常に清潔な状態を保つ必要がある。入れ歯全体を洗浄する方法として、従来、発泡性の洗浄剤と一緒に水に浸漬する方法や、超音波により泡を発生させる洗浄器を用いる方法があり、これらの方法により洗浄した上で、水中に浸漬して保存していた。
【発明の概要】
【発明が解決しようとする課題】
【０００３】
しかしながら、洗浄剤による方法は、洗浄剤を毎日使用すると費用がかさむ点や、洗浄後に洗浄剤の成分が残留しないように洗い流す手間がかかる点が問題であった。また、超音波洗浄器による方法は、洗浄器自体が高価である点や、電池などの電源が必要となる点が問題であった。
【０００４】
本発明は、上記事情を鑑みたものであり、消耗品や電源を必要とせず、入れ歯などを水中に浸漬して清潔に保存するための抗菌消臭容器を提供することを目的とする。
【課題を解決するための手段】
【０００５】
本発明は、容器本体と、蓋体を備え、容器本体が、純度９７ｗｔ％以上の錫からなり、水を貯める貯水部と、貯水部と連通して上向きに開口する開口部を有しており、蓋体が、開口部を開閉自在に覆うことを特徴とする。
【発明の効果】
【０００６】
本発明によれば、容器本体の貯水部に水を貯めると、容器本体を構成する錫から、金属イオンが水中に溶出する。この金属イオンは高い抗菌作用および消臭作用を有するものであり、開口部から投入された入れ歯などに対して作用し、雑菌の繁殖を抑え、汚れや臭いを除去して、清潔に保存することができる。このように、容器本体自体が抗菌および消臭機能を有するので、その他の消耗品や電源は必要なく、費用が抑えられ、手間がかからない。
【図面の簡単な説明】
【０００７】
【図１】抗菌消臭容器の斜視図であり、蓋体を取り外した状態を示す。
【図２】抗菌消臭容器の斜視図であり、蓋体を取り付けた状態を示す。
【発明を実施するための形態】
【０００８】
本発明の抗菌消臭容器の具体的な構成について、各図面に基づいて説明する。ここでは、抗菌消臭容器を、入れ歯の洗浄および保存に用いる場合について示す。図１および図２に示すように、この抗菌消臭容器は、容器本体１と、蓋体２を備える。容器本体１は、底面１３と、底面１３の周縁部から立設する壁面１４からなり、底面１３は、円を四つ重ねたクローバー形であって、壁面１４は上側に向けて広がっている。この壁面１４の内側の空間が貯水部１１となっており、壁面１４の上端部の内側が貯水部１１と連通する開口部１２となっている。そして、容器本体１は、純度９９．９９ｗｔ％以上の錫により、一体に形成されている。また、蓋体２は、容器本体１の開口部１２の形状に合わせた略平板状でクローバー形のものであって、上面にはクローバーの葉の模様を刻設してあり、周縁部には下方に向けて突出する起立片２１を形成してある。蓋体２は、容器本体１に対して着脱自在であって、起立片２１を壁面１４の上端部に係合させることで、開口部１２を塞ぐことができる（図２）。そして、蓋体２は、抗菌性の樹脂により、一体に形成されている。
【０００９】
この抗菌消臭容器を、入れ歯の洗浄および保存に用いる際には、蓋体２を取り外して、容器本体１の貯水部１１に水を貯め、開口部１２から入れ歯を投入して、蓋体２を取り付ける。貯水部１１の水には、容器本体１を構成する錫から金属イオンが溶出し、この金属イオンは高い抗菌作用および消臭作用を有するので、入れ歯に対して作用し、雑菌の繁殖を抑え、汚れや臭いを除去して、清潔に保存することができる。
【００１０】
このように、本発明の抗菌消臭容器によれば、容器本体１自体が抗菌および消臭機能を有するので、その他の消耗品や電源は必要なく、費用が抑えられ、手間がかからない。なお、実験により、この抗菌消臭容器は、大腸菌や黄色ブドウ球菌に対する抗菌・滅菌効果を有することが確認されている。また、蓋体２も抗菌性の樹脂からなるので衛生的であり、蓋体２により内容物を覆い隠すことができるので、人目を気にすることなく、どこにでも置いておくことができる。
【００１１】
本発明は、上記の実施形態に限定されない。たとえば、容器本体は、純度９７ｗｔ％以上の錫からなるものであれば、実用可能な抗菌効果および消臭効果が得られる。ただし、純度９９．９９ｗｔ％以上であれば、より効果が高く、望ましい。また、容器本体の形状は、箱形や椀形など、貯水部と開口部を有するものであれば、どのようなものであってもよい。そして、この抗菌消臭容器は、入れ歯以外の種々の物品の洗浄および保存に用いることができるものであり、容器本体や蓋体の形状や大きさを、物品に応じたものとしてもよく、容器本体の内部に仕切を設けてもよい。さらに、蓋体は、開閉自在であればよく、ヒンジなどによって容器本体と一体になっていてもよい。また、蓋体も容器本体と同じ錫製であってもよいし、その他の素材からなるものであってもよいが、抗菌性のものであることが望ましい。
【符号の説明】
【００１２】
１  容器本体
２  蓋体
１１  貯水部
１２  開口部
【図１】
2016007261.tif 000003
【図２】
2016007261.tif 000004